(57)【要約】【課題】設置価格が安価で、配管補修等の工事を簡易に行うことができるバスタブ支持構造およびバスルームの床・壁構造を提供する。【解決手段】バスタブ６の支持構造体の骨組１が、木を芯材１１１とし合成樹脂筒状体を外皮材１１２とする柱材１１や、木を芯材１２１とし合成樹脂筒状体を外皮材１２２とする梁材１２により構成する。【選択図】　　図１
2004057322.tif 000002
【特許請求の範囲】
【請求項１】
バスタブの支持構造体の骨組材が、木を芯材とし合成樹脂筒状体を外皮材とする棒状材または板状材により構成されてなることを特徴とするバスタブ支持構造。
【請求項２】
バスタブの支持構造体の表面がプレート材により構成され、前記プレート材が、木を芯材とし合成樹脂筒状体を外皮材とする棒状材または板状材、あるいは木板を内材とし合成樹脂シートを外皮材とする板状材により構成されてなることを特徴とする請求項１に記載のバスタブ支持構造。
【請求項３】
前記プレート材間の目地、前記プレート材とバスタブ、床または壁との境界に、防水処理がなされていることを特徴とする請求項１または２に記載のバスタブ支持構造。
【請求項４】
バスルームの床および／または壁の少なくとも床面から所定高さ領域が、木を芯材とし合成樹脂筒状体を外皮材とする棒状材または板状材、あるいは木板を内材とし合成樹脂シートを外皮材とする板状材の適宜の組み合わせにより構成され、これら各材間の目地、これら各材と他のバスルーム内装材との境界に、防水処理がなされていることを特徴とするバスルームの床・壁構造。
【発明の詳細な説明】
【０００１】
【発明の属する技術分野】
本発明は、設置価格が安価で、配管補修等の工事を簡易に行うことができるバスタブ支持構造およびバスルームの床・壁構造に関する。
【０００２】
【技術背景】
近年、ユニットバスが広く普及している。ユニットバスは、大がかりな施工を必要とはしないが、バスルームの空間サイズが規定されるとともに、内装デザインが画一化される。一方、床や壁を陶器等のタイルで構成した伝統的バスは、バスルームデザイン（バスルームの広さ、バスタブの種類、内装デザイン等）を自由に設計ないし選択できるという利点を有するが、大がかりな施工が必要となることが多い。
【０００３】
上記伝統的なバスは施工価格が高く、また上記ユニットバスも、必ずしも施工価格は安くはない。そのうえ、これらバスの何れも、送水・排水等の配管に水漏れ等が生じた際には、大がかりな補修工事が必要となる場合が多い。
また、たとえばバスタブにいわゆるジャグジー機能が搭載される場合、その機構の一部は、バスタブ支持構造の内部（バスタブの下部等）に配備される。このため、ジャグジー機構が故障した際に、伝統的なバスではコンクリートのはつり工事・原状への復旧に高額な費用を要する。ユニットバスの場合も、床面等の剥離が必要となることがあり、この場合にも、剥離工事・原状への復旧に高額な費用を要する。
【０００４】
【発明の目的】
本発明は、設置価格が安価で、配管補修等の施工・補修を簡易に行うことができ、かつその費用が安価なバスタブ支持構造およびバスルームの床・壁構造を提供することを目的とする。
【０００５】
【課題を解決するための手段】
本発明のバスタブ支持構造は、バスタブの支持構造体の骨組材が、木を芯材とし合成樹脂筒状体を外皮材とする棒状材または板状材により構成されてなることを特徴とする。
【０００６】
従来のバスタブ支持構造体は、従来の伝統的なバスタブでは、外面にタイル等が貼り付けられたコンクリートにより構成されるため施工が大がかりとなる。
また、従来の伝統的なバスタブやユニットバスでは、配管からの水漏れが生じたような場合や、バスタブの支持構造体の内部に水漏れ等が生じた場合等には、補修や原状への復旧が容易ではない。
【０００７】
これらに対し、本発明のバスタブ支持構造は、骨組や骨組に固定するパネルを木からなる角状材や板状材と、これを被覆する合成樹脂から構成することができるので、従来のユニットバス、伝統的なバスに比較して材料費が安価であることに加え、施工が容易であることから作業コストも安価となり、しかも上記のような水漏れが生じても補修や原状への復旧が容易であり補修等のコストも安価となる。
また、骨組の組み替えも容易であり、バスタブを従前の形状から異なる形状のものに交換する際にも、簡単な施工で済み、作業コストが安価となる。
【０００８】
本発明のバスタブ支持構造では、バスタブの支持構造体の表面をプレート材により構成することができる。この場合、プレート材として、合成樹脂パネルを使用することもできるが、上記のバスタブの支持構造体の骨組材と同様の構成の木を芯材とし合成樹脂筒状体を外皮材とする棒状材（当該棒状材を複数本連接して板状材としたもの）または板状材、あるいは木板を内材とし合成樹脂シートを外皮材とする板状材により構成することができる。
これらの板状材は、構造部材としても強度があるので、合成樹脂パネルを使用する場合に比べてバスタブの支持構造体として優れている。
また、これらの板状材を使用した場合には、配管に水漏れが生じたような場合には、バスタブ支持構造体の周囲の部分的な除去、交換を簡単に行うことができるので、補修・修復の施工が一層容易となる。
【０００９】
なお、バスタブの支持構造体の表面をプレート材により構成したときは、プレート材間の目地、前記プレート材とバスタブ、床または壁との境界に、防水処理を施すことが好ましい。また、支持構造体の骨組材は、端部において前記芯材への浸水を防止する処理を施すことができる。
【００１０】
本発明のバスルームの床・壁構造は、バスルームの床および／または壁の少なくとも床面から所定高さ領域が、上記のバスタブの支持構造体の骨組材と同様の構成の木を芯材とし合成樹脂筒状体を外皮材とする棒状材（当該棒状材を複数本連接して板状材としたもの）または板状材、あるいは木板を内材とし合成樹脂シートを外皮材とする板状材の適宜の組み合わせにより構成され、これら各材間の目地、これら各材と他のバスルーム内装材との境界に、防水処理がなされていることを特徴とする。
【００１１】
なお、本発明のバスルームの床・壁構造では、床面下地材として防水床パネルを使用することができる。この防水床パネルは、防水処理を施した合板、たとえば、合板にエポキシ系樹脂、塩化ビニル系樹脂、ウレタン系樹脂、オレフィン系樹脂等の防水塗料を塗布したものや、合板用接着剤として防水性の接着剤を使用したもの等で作製することができるし、また床パネル上に防水シートを敷設したものであってもよい。これらの防水床パネルを使用することで、床下への水漏れを防止できる。
また、本発明のバスルームの床・壁構造では、壁面コンクリートに壁面パネルを、パネル固定具を介して固定することもできるし、壁面コンクリートに防水処理がなされた（たとえば防水塗料が塗布された）下地パネルを取り付け、当該下地パネルにパネル固定具を介して壁パネルを固定することもできる。
【００１２】
以上のように、本発明では、床面や壁面の防水を安価なプレート材により構成できるので、施工費用が極めて安価となる。また、床下等の配管に水漏れが生じた場合には、床を剥がすことが容易であり、補修・修復の施工が容易となる。
さらに、床面や壁面に傷が付いたような場合には、その部分のプレート材のみの交換が容易であり、安価に補修・修復ができる。
加えて、床面や壁面の全体的あるいは部分的な模様変え（たとえば、白黒の千鳥状の模様の白部分を大理石模様に変更する等）も、極めて容易に行うことができ、短期間でかつ安価に施工が可能となる。
【００１３】
【発明の実施の形態】
本発明のバスタブ支持構造の一実施形態を図１〜図６により説明する。図１は、バスタブ支持構造の骨組１を示す図であり、骨組１は柱材１１と、柱材１１の上下端側に配置される梁材１２から構成される。
【００１４】
柱材１１は、図２（Ａ）、図３（Ａ），（Ｃ）に示すように、木（ここでは角材）からなる芯材１１１と、塩化ビニル系樹脂、アクリル系樹脂、ウレタン系樹脂、オレフィン系樹脂等の硬質な合成樹脂筒状体からなる外皮材１１２とから構成される。柱材１１の芯材１１１の上下端には、図２（Ａ）に示すようなダボ３０の取り付け穴３１が形成されている（図２（Ａ）では柱材１１の上端のみが示されている）。
なお、外皮材１１２は、ここでは芯材１１１（角材）の形状に合わせて角筒体としているが、これに限らず、芯材１１１の形状（円柱状、三角柱状、五角柱状、六角柱状、その他の多角柱状）に合わせて円筒体、三角筒体、五角筒体、六角筒体、その他の多角筒体であってよく、また外皮材１１２の外表面には模様等を施してもよい。
また、外皮材１１２は、合成樹脂を上記のような各種形状の筒状体に押し出し成形したものであってもよいし、合成樹脂の板状体を芯材１１１の外周面を覆うように取り付けたものであってもよい。
【００１５】
また、後述するパネル５１が取り付けられる柱材１１については、当該パネル５１が取り付けられる面に、長さ方向に図３（Ａ），（Ｃ）に示すパネル固定具４１が取り付けられている。このパネル固定具４１は、本実施形態では、断面が扁平Ｔ字形状をなし、Ｔ字水平部分はアルミニウムやステンレス等の腐食しにくい金属、あるいは硬質な合成樹脂等により構成されている。
【００１６】
梁材１２は、図２（Ａ），（Ｂ）、図４（Ａ），（Ｃ）に示すように、木（ここでは合板材）からなる芯材１２１と、上記と同様の合成樹脂筒状体からなる外皮材１２２とから構成される。梁材１２の外皮材１２２が前記柱材１１の芯材１１１と当接する部位には、図２（Ａ）に示すようなダボ３０の取り付け穴３２が形成されている（図２（Ａ）では上端側の梁材１１のみが示されている）。
なお、この外皮材１２２は、ここでは芯材１２１（板材）の形状に合わせて薄型角筒体としているが、これに限らず、芯材１２１の形状（楕円状、半楕円状、面取り薄型角筒状等）に合わせて楕円体、半楕円体、面取り薄型角筒体等であってよく、また外皮材１２２の外表面には模様等を施してもよい。
また、外皮材１２２は、合成樹脂を上記のような各種形状の筒状体に押し出し成形したものであってもよいし、合成樹脂の板状体や曲面を有する板状体等を芯材１２１の外周面を覆うように取り付けたものであってもよい。
【００１７】
また、梁材１２の端部同士が当接する部位には、図２（Ｂ）に示すようなダボ３０の取り付け穴３３，３４が形成されている。また、後述するパネル５２が取り付けられる梁材１２については、当該パネル５２が取り付けられる面に、図４（Ａ），（Ｃ）に示すパネル固定具４３が取り付けられている。このパネル固定具４３は、本実施形態では、断面が扁平コ字形状をなし、アルミニウムやステンレス等の腐食しにくい金属、あるいは硬質な合成樹脂等により構成されている。
【００１８】
梁材１２，柱材１１の、床面下地パネル１００，コンクリート壁面２００への固定は、たとえば接着剤、あるいは合成樹脂液を併用した金属製のビスや釘等により行うことができる。
【００１９】
図１に示した骨組１の上部に位置する梁材１２には、図４（Ｂ），（Ｃ）に示すパネル５２が取り付けられる。このパネル５２は、木板（ここでは合板）を内材５２１とし、合成樹脂シートを外皮材５２２として構成されている。また、パネル５２の縁には、梁材１２に取り付けられたパネル固定具４３と嵌合するパネル固定具４４が取り付けられている。このパネル固定具４４は、断面が概略コ字形をなし、アルミニウムやステンレス等の腐食しにくい金属、あるいは硬質な合成樹脂等により構成されている。
なお、外皮材５２２を構成する合成樹脂シートは、外表面に模様等を施したものが好ましく用いられる。
【００２０】
また、上記のパネル５２としては、内材５２１を芯材とし、この芯材を硬質な合成樹脂筒状体からなる外皮材５２２で覆った構成のもの、すなわち上記の梁材１２と同様な構成のものを複数枚連接してパネル状としたものを使用することもできるし、あるいは角柱状の内材５２１を芯材とし、これを硬質な合成樹脂筒状体からなる外皮材５２２で覆った構成のもの、すなわち上記の柱材１１と同様な構成のものを複数本連接してパネル状としたものを使用することもできる。
これらの構成を有するものを使用する場合には、上記の梁材１２の厚みより薄くしたもの、上記の柱材１１より径を小さくしたものを使用することが好ましく、また外皮材５２２の外表面には模様等が施されたものを使用することが好ましい。
【００２１】
さらに、パネル５２は、本発明のバスタブ支持構造における必須の構成材ではなく、梁材１２のみとしてもよい。この場合は、梁材１２がバスタブ支持構造の表面材となるため、上記の合成樹脂筒状体は、上記のように表面に位置する面に模様等を施したものであることが好ましい。
【００２２】
図５は、骨組１の上部に位置する梁材１２に、パネル５２を固定した後に、バスタブ６を骨組１内に設置した様子を示している。パネル５２同士の境界には、コーキング材による防水処理を施すことができる。また、バスタブ６の縁がパネル５２に押接している部分には、バスタブ６の縁部分から裏面への浸水を防止するために、同様の防水処理を施すことができる。
【００２３】
図１に示した骨組１の柱材１１の壁面がない側面には、図４（Ｂ），（Ｃ）に示すパネル５１が取り付けられる。このパネル５１は、パネル５２と同様、木板（ここでは合板）を内材５１１とし、合成樹脂シートを外皮材５１２として構成されている。また、パネル５１の縁には、柱材１１に取り付けられたパネル固定具４１と嵌合するパネル固定具４２が取り付けられている。このパネル固定具４２は、パネル固定具４４と同様、断面が概略コ字形をなし、上記した金属や合成樹脂等により構成されている。
【００２４】
なお、このパネル５１に代えて、上記のパネル５２と同様に、内材５１１を芯材とし、この芯材を硬質な合成樹脂筒状体からなる外皮材５１２で覆った構成のもの、すなわち上記の梁材１２と同様な構成のものを複数枚連接してパネル状としたもの、あるいは角柱状の内材５１１を芯材とし、これを硬質な合成樹脂筒状体からなる外皮材５１２で覆った構成のもの、すなわち上記の柱材１１と同様な構成のものを複数本連接してパネル状としたものを使用することもでき、これらを使用する場合には、上記の梁材１２の厚みより薄くしたもの、上記の柱材１１より径を小さくしたものを使用することが好ましく、また外皮材５１２の外表面には模様等が施されたものを使用することが好ましい。
【００２５】
図６は、パネル５１，５２を、骨組１の柱材１１に固定した様子を示している。なお、パネル５１とパネル５２との境界、パネル５１同士の境界等には、コーキング材による防水処理を施すことができる。
【００２６】
次に、本発明のバスルームの床・壁構造の一実施形態を図７〜図１１により説明する。
【００２７】
図７では、床面下地パネル１００は、根太１０２の上に施設されており、床面下地パネル１００は、適宜個所において開口できるように構成されている（開口板を符号１００′で示す）。
なお、図８に示すように、床面下地パネル１００を根太１０２を用いずに、ステー１０３により、床下に配管空間等を確保できるように施設することもできる。ここで、ステー１０３は、図２（Ａ）、図３（Ａ），（Ｃ）に示した柱材１１と同様、木（ここでは角材）からなる芯材と、硬質な合成樹脂筒状体からなる外皮材とから構成されており、例えば所定寸法の柱材１１を切り出した後の切れ端等を使用することもできる。
【００２８】
また、コンクリート壁面２００の表面には、図示しないが防水塗料が塗布されるとともに、後述する壁パネル７２に取り付けられたパネル固定具８３と相互に嵌合するパネル固定具８４、後述する防水壁面７３に取り付けられたパネル固定具８５と相互に嵌合するパネル固定具８６が取り付けられている。コンクリート壁面２００と壁パネル７２との間の空間、コンクリート壁面２００と防水壁面７３との間の空間（図９の符号Ｓ参照）は上下に連通し、換気口等を通して外気に抜けるように構成することもできる。
この場合に、パネル固定具８４として水平方向に連続した長尺のものを使用するときは、空間Ｓの外気と連通するために、壁パネル７２に取り付けられたパネル固定具８３として長さが短いものを使用する。また、パネル固定具８４として水平方向に断続した短尺のものを使用する場合には、壁パネル７２に取り付けられたパネル固定具８３として長さが短いものを使用することもできるし、長いものを使用することもできる。
【００２９】
図９は、床パネル７１の床面下地パネル１００への取り付け状態、壁パネル７２のコンクリート壁面２００への取り付け状態を示す図である。図９では、壁パネル７２の上部には防水壁面７３が固定されている。壁パネル７２は、床面から所定高さまで取り付けられるもので、図１０（Ａ）に示すように、壁パネル７２は木板（ここでは合板）を内材７２１とし、合成樹脂シートを外皮材７２２として構成されている。また、パネル７２には、前述したようにパネル固定具８４と嵌合するパネル固定具８３が取り付けられている。このパネル固定具８３は断面が概略扁平なコ字形をなし、アルミニウムやステンレス等の腐食しにくい金属や硬質な合成樹脂等により構成されている。図９に示すように、壁パネル７２の上部の防水壁面７３には、前述したようにパネル固定具８５が取り付けられており、パネル固定具８６と相互に嵌合してコンクリート壁面２００に固定される。
【００３０】
この壁パネル７２に代えて、内材７２１を芯材とし、この芯材を硬質な合成樹脂筒状体からなる外皮材７２２で覆った構成のもの、すなわち上記の梁材１２と同様な構成のものを複数枚連接してパネル状としたものを使用することもできるし、あるいは角柱状の内材７２１を芯材とし、これを硬質な合成樹脂筒状体からなる外皮材７２２で覆った構成のもの、すなわち上記の柱材１１と同様な構成のものを複数本連接してパネル状としたものを使用することもできる。
これらの構成を有するものを使用する場合には、上記の梁材１２の厚みより薄くしたもの、上記の柱材１１より径を小さくしたものを使用することが好ましく、また外皮材７２２の外表面には模様等が施されたものを使用することが好ましい。
【００３１】
図８において、床面下地パネル１００上には、防水シート１０１が敷設され、壁パネル７２の下部において所定高さ立ち上げられている。また、防水シート１０１上には、床パネル７１に取り付けられたパネル固定具８１と相互に嵌合するパネル固定具８２が取り付けられている。
【００３２】
床パネル７１は、図１０（Ｂ）に示すように、木板（ここでは合板）を内材７１１とし、合成樹脂シートを外皮材７１２として構成されている。また、床パネル７１の縁には、前述したようにパネル固定具８２と嵌合するパネル固定具８１が取り付けられている。この床板パネル固定具８１は断面が概略コ字形をなし、アルミニウムやステンレス等の腐食しにくい金属や硬質な合成樹脂等により構成されている。
【００３３】
この床パネル７１に代えて、上記の壁パネル７２と同様に、内材７１１を芯材とし、この芯材を硬質な合成樹脂筒状体からなる外皮材７１２で覆った構成のもの、すなわち上記の梁材１２と同様な構成のものを複数枚連接してパネル状としたもの、あるいは角柱状の内材７１１を芯材とし、これを硬質な合成樹脂筒状体からなる外皮材７１２で覆った構成のもの、すなわち上記の柱材１１と同様な構成のものを複数本連接してパネル状としたものを使用することもでき、これらを使用する場合には、上記の梁材１２の厚みより薄くしたもの、上記の柱材１１より径を小さくしたものを使用することが好ましく、また外皮材７１２の外表面には模様等が施されたものを使用することが好ましい。
【００３４】
図１１は、施工が終了したバスルーム内を示す。たとえば、バスタブ６の下部に配管からの水漏れが生じたときは、カッター等を用いてパネル５１，５２を取り外すことができ、また補修後の原状への復旧も極めて容易に行うことができる。また、床パネル７１の下部において配管からの水漏れが生じたときは、防水シート１０１を剥離し、開口板１００′を外して補修、原状復旧を行うことができる。
【００３５】
上述した実施形態では、柱材１１、梁材１２、パネル５１，５２，７１，７２には釘打ち等をせずに、内部の木材に水分が侵入しないようにしている。釘打ちをした場合には、釘打ち部分に防水処理を施すことが好ましい。
【００３６】
上記実施形態では、床面下地パネル１００上に、防水シート１０１を敷設したが、床面下地パネル１００に防水塗料を塗布した場合には防水シート１０１の設置を省略することができる。
【００３７】
【発明の効果】
本発明は、設置価格が安価で、配管補修等の施工・補修を簡易に行うことができ、かつその費用が安価なバスタブ支持構造およびバスルームの床・壁構造を提供することができる。
また、本発明においては、バスタブ支持構造およびバスルームの床・壁構造の全てが、木質を芯材とし、これを合成樹脂の外皮材で覆った材料で構成されているため、木質の優れた特性、たとえば、寸法・形態の安定性、耐熱性、保温性、耐久性等を有するばかりでなく、外皮材に傷が付き芯材に水分が浸透しても木質は優れた湿気の吸・放出性を有するため、従来のユニットバスでは得られない伝統的な木質のバスと同等の特性を備えたものとなる。
しかも、本発明では、バスタブ支持部分や床・壁部分の部分的な補修、取り替えが容易である。
【図面の簡単な説明】
【図１】バスタブ支持構造の骨組を示す図である。
【図２】（Ａ）は柱材と梁材とのダボによる接合形態を示す図であり、（Ｂ）は梁材同士をダボによるダボによる接合形態を示す図である。
【図３】（Ａ）はパネル固定具が取り付けられた柱材を示す図、（Ｂ）は柱材に固定されるパネルを示す図、（Ｃ）はパネルが柱材に固定された状態を示す図である。
【図４】（Ａ）はパネル固定具が取り付けられた梁材を示す図、（Ｂ）は梁材に固定されるパネルを示す図、（Ｃ）はパネルが梁材に固定された状態を示す図である。
【図５】骨組の上部に位置する梁材にパネルを固定した後にバスタブを骨組内に設置した様子を示す図である。
【図６】パネルがバスタブ支持構造体の骨組に固定された様子を示す図である。
【図７】本発明のバスルームの床・壁構造の説明図であり、床面下地パネルが根太１０２の上に施設された様子を示す図である。
【図８】本発明のバスルームの床・壁構造の説明図であり、床面下地パネルがステーにより施設された様子を示す図である。
【図９】床パネルの床面下地パネルへの取り付け状態、壁パネルの壁面への取り付け状態を示す図である。
【図１０】（Ａ）は壁パネルを壁面に取り付ける様子を示す図、（Ｂ）は床パネルを床面に取り付ける様子を示す図である。
【図１１】施工が終了したバスルーム内を示す図である。
【符号の説明】
１　骨組
６　バスタブ
１１　柱材
１２　梁材
３０　ダボ
３１，３２，３３，３４　取り付け穴
４１，４２，４３，４４，８３，８４，８５，８６　パネル固定具
５１，　５２　パネル
７１　床パネル
７２　壁パネル
７３　防水壁面
１００　床面下地パネル
１００′　開口板
１０１　防水シート
１０２　根太
１１１，１２１　芯材
１１２，１２２，５２２，５１２，７１２，７２２　外皮材
２００　コンクリート壁面
Ｓ　空間
【図１】
2004057322.tif 000003
【図２】
2004057322.tif 000004
【図３】
2004057322.tif 000005
【図４】
2004057322.tif 000006
【図５】
2004057322.tif 000007
【図６】
2004057322.tif 000008
【図７】
2004057322.tif 000009
【図８】
2004057322.tif 000010
【図９】
2004057322.tif 000011
【図１０】
2004057322.tif 000012
【図１１】
2004057322.tif 000013